(57)【要約】【課題】この発明は、防水扉の扉枠への圧接を可能にすると共に、防水扉の起立倒伏機構が防水時に防水扉の内側に位置する防水扉装置を提供する。【解決手段】この発明は、出入口の枠体下部の出入口外側に形成された収納空間と、該収納空間に収納された防水扉と、該防水扉を前記枠体に沿って起立させ、且つ起立した防水扉を前記収納空間に収納する起立収納機構とを少なくとも具備する防水扉装置において、前記防水扉は、その下端となる部分に設けられ、前記収納空間の床部に沿って防水扉の下端を摺動可能とする下端摺動手段を具備し、前記起立収納機構は、前記出入口の枠体下部の出入口内側に、駆動支点部を有し、防水扉起立時に出入口内側に位置する前記防水扉の内側面の所定の位置に作用部を有する駆動アームと、該駆動アームを、前記駆動支点部を中心として回動させ、前記作用部にて前記防水扉を移動させ起立又は収納させる駆動手段を具備することにある。【選択図】  図１
2008038537.tif 000002
【特許請求の範囲】
【請求項１】
出入口の枠体下部の出入口外側に形成された収納空間と、該収納空間に収納された防水扉と、該防水扉を前記枠体に沿って起立させ、且つ起立した防水扉を前記収納空間に収納する起立収納機構とを少なくとも具備する防水扉装置において、
前記防水扉は、その下端となる部分に設けられ、前記収納空間の床部に沿って防水扉の下端を摺動可能とする下端摺動手段を具備し、
前記起立収納機構は、前記出入口の枠体下部の出入口内側に、駆動支点部を有し、防水扉起立時に出入口内側に位置する前記防水扉の内側面の所定の位置に作用部を有する駆動アームと、該駆動アームを、前記駆動支点部を中心として回動させ、前記作用部にて前記防水扉を移動させ起立又は収納させる駆動手段を具備することを特徴とする防水扉装置。
【請求項２】
前記起立収納機構は、さらに、防水扉の上端となる部分に設けられ、前記枠体の左右両端に沿って防水扉の上端を摺動可能とするガイド手段を具備することを特徴とする請求項１記載の防水扉装置。
【請求項３】
前記駆動アームは、防水扉の収納時において、前記出入口内側の床面に沿った状態となり、前記駆動支点部をその一端に有する内側部と、前記収納空間の床部に沿った状態となり、その一端に前記作用部を有する外側部と、前記内側部の他端部と前記外側部の他端部とを連結する連結部とからなることを特徴とする請求項１又は２記載の防水扉装置。
【請求項４】
前記駆動アームの作用部は、前記アームから横方向に突出する噛合ピンと、前記防水扉に形成され、前記噛合ピンが回動可能、移動可能に噛合する長穴によって形成されることを特徴とする請求項３記載の防水扉装置。
【請求項５】
前記防水扉は、その下端部分に、防水扉の立ち上がり初期時の支点となる支点部を有し、前記収納空間の端部には該支点部が噛合する噛合部が設けられることを特徴とする請求項１〜４のいずれか一つに記載の防水扉装置。
【請求項６】
前記駆動アームの作用部は、前記防水扉の重心から所定値上端側に位置することを特徴とする請求項１〜５のいずれか一つに記載の防水扉装置。
【請求項７】
前記起立収納機構は、前記防水扉が起立時に防水扉上端が噛合し、防水扉の倒伏動作時の支点となる防水扉側に設けられる倒伏支点部と、この倒伏支点部が噛合する枠体側に設けられたフック部とによって構成される倒伏円滑機構を有することを特徴とする請求項１〜６のいずれか一つに記載の防水扉装置。
【請求項８】
前記起立収納機構は、前記防水扉が起立時に防水扉上端が噛合し、防水扉の倒伏動作時の支点となる枠体側に設けられる倒伏支点部と、この倒伏支点部が噛合する防水扉側に設けられたフック部とによって構成される倒伏円滑機構を有することを特徴とする請求項１〜６のいずれか一つに記載の防水扉装置。
【発明の詳細な説明】
【技術分野】
【０００１】
この発明は、主に建物や駐車場等の出入口からの浸水を防止する防水扉装置に関する。
【背景技術】
【０００２】
特許文献１は、扉全体を各自に扉枠に圧接し、良好な防水性能を実現するために、上部開放の扉枠と、上部が上昇すると共に下部が前進して床面から起立する扉と、該扉の起立と同時に前記扉枠に圧接させる左右の上部圧接機構と、起立した扉の下部を前記扉枠に圧接させ、前記扉を起立状態にロックする手動の下部圧接機構と、前記扉を起倒させる手動の駆動機構とを設けた防水扉装置を開示する。
【０００３】
特許文献２は、１組の直立平行面と対向方向直立突出部とによって止水板の入口両壁受部を形成し、止水板の両端部を該受部にそって昇降摺動自在に懸垂支持し、前記直立平行面にそれぞれ、その上方から床面に至る案内ガイドを設け、該両案内ガイドの上部が太く下部が細く形成され、昼間部にテーパガイド面を介在し、止水板の両端部に上記案内ガイドの上下部に昇降摺動自在に携行する２股部を設け、上記下部において止水板を上記直立突出部の正面及び床面に圧接止水する装置を備えた昇降止水装置を開示する。
【０００４】
特許文献３は、防水扉を、出入口の床面に設けられた収納凹部体にヒンジ装置により起倒可能に支持し、収納凹部体の開口を閉塞する状態から前記出入口を閉塞する状態に起立させるようにした防水扉装置において、防水扉が所定の角度位置となるまでは、回動アームが回動されて押し上げアーム部が押し上げ係合部と係合して支持アームの先端部を上方に移動させつつ回動アームの長アーム部戦隊の長孔を介して防水扉を起立方向に回動させ、所定の角度位置以後は、回動アームの長アーム部先端部が支持アームに対して回動しつつ上昇することによりピンが長孔を引っ掛けて回動アーム全体を引き上げることで支持アーム先端部を持ち上げて駆動軸回りに上方に回動させて防水扉を起立させる防水扉装置を開示する。
【０００５】
特許文献４は、防水扉とケース間に起立補助装置を設け、この起立補助装置を初期起立補助手段と後期起立補助手段とによって構成し、初期起立補助手段により、倒伏位置から所定の起立角度位置まで防水扉を起立方向に付勢すると共にヒンジの可動ベースをベース板に向けて付勢し、このとき後期起立補助手段のねじりコイルバネが上下ブラケット間に圧縮状態に保持されたまま防水扉と一体に揺動し、防水扉が所定の起立角度位置となると保持が解除され、防水扉を付勢するようにした防水扉装置を開示する。
【特許文献１】特開平８−２６０８３３号公報
【特許文献２】特開２００６−９３０５号公報
【特許文献３】特開２００６−７７３８９号公報
【特許文献４】特開２００６−８３５９５号公報
【発明の開示】
【発明が解決しようとする課題】
【０００６】
特許文献１に開示される防水扉装置は、防水扉を両側から引き上げるように持ち上げていくことから、防水扉の引き上げ作業については円滑に行えるものと推定されるが、防水扉が完全に起立した状態では、防水扉下辺の固定に問題が生じるため、下部圧接機構が不可欠となる。このため、防水扉の設置作業には、防水扉の引き上げ作業及び防水扉の下辺を固定するための下部圧接機構の固定作業が必要であり、同様に防水扉の収納作業には、下部圧接機構の解除作業及び防水扉の収納作業となるため、手間がかかるという不具合が生じる。
【０００７】
特許文献２の昇降止水装置は、防水扉を昇降摺動自在に懸垂支持する構造であるため、出入口上部に防水扉を収納する空間が必要であると共に、出入口上部に常に所定の重量を有する防水扉が懸垂支持されている状態は危険な状態であるため、その収納状態を考慮する必要が生じる。また、防水扉のロック自体も手動であることから、設置作業に工数がかかるという不具合も生じる。
【０００８】
特許文献３及び４においては、上記特許文献１及び２における問題点を解決しているが、防水扉を起立する機構が防水扉の収納空間の下方に位置しており、また防水扉を円滑に起立又は倒伏させるために複雑な構造を有している。また、防水扉を起立させて扉縁部に圧接させて防水する機構であるため、水圧を考慮した場合、機構が配される側からの水を防御することが望ましいが、この場合、機構部が水に濡れることを考慮する必要があるため、所定の水圧に対する防水構造が必要となる。また、機構側の反対側からの水を防御する場合、機構自体にかなりの水圧がかかることが想定されるため、機構の強度を向上させる必要が生じる。したがって、基本的には、水圧が防水扉を枠側に押圧する方向にかかることを考慮して防水扉を配置するように設計することが望ましい。
【０００９】
このため、この発明は、防水扉の扉枠への圧接を可能にすると共に、防水扉の起立倒伏機構が防水時に防水扉の内側に位置する防水扉装置を提供することにある。
【課題を解決するための手段】
【００１０】
よって、この発明は、出入口の枠体下部の出入口外側に形成された収納空間と、該収納空間に収納された防水扉と、該防水扉を前記枠体に沿って起立させ、且つ起立した防水扉を前記収納空間に収納する起立収納機構とを少なくとも具備する防水扉装置において、前記防水扉は、その下端となる部分に設けられ、前記収納空間の床部に沿って防水扉の下端を摺動可能とする下端摺動手段を具備し、前記起立収納機構は、前記出入口の枠体下部の出入口内側に、駆動支点部を有し、防水扉起立時に出入口内側に位置する前記防水扉の内側面の所定の位置に作用部を有する駆動アームと、該駆動アームを、前記駆動支点部を中心として回動させ、前記作用部にて前記防水扉を移動させ起立又は収納させる駆動手段を具備することにある。前記下端摺動手段は、下端部に設けられた下端移動ローラであり、前記ガイド手段は、ガイドローラであることが望ましい。また、前記防水扉は、前記枠体の外側部に当接するように配置されるものであり、前記枠体の防水扉が当接する部分には、弾性部材からなるパッキンが設けられることが望ましい。また、前記パッキンは、防水扉側に設けても良いものである。
【００１１】
また、前記起立収納機構は、防水扉の上端となる部分に設けられ、前記枠体の左右両端に沿って防水扉の上端を摺動可能とするガイド手段を具備することが望ましい。尚、ガイド手段は、枠体に沿って移動するガイドローラであることが望ましい。さらにガイドローラが移動するガイドレールを枠体に沿って設けても良いものである。
【００１２】
また、前記駆動アームは、防水扉の収納時において、前記出入口内側の床面に沿った状態となり、前記駆動支点部をその一端に有する内側部と、前記収納空間の床部に沿った状態となり、その一端に前記作用部を有する外側部と、前記内側部の他端部と前記外側部の他端部とを連結する連結部とからなることが望ましい。また、駆動アームの回動範囲は、９０度より少し大きいことが望ましい。
【００１３】
さらに、前記駆動アームの作用部は、前記アームから横方向に突出する噛合ピンと、前記防水扉に形成され、前記噛合ピンが回動可能、移動可能に噛合する長穴によって形成されることが望ましい。この長穴は、防水扉の立ち上がり動作初期時の干渉及び防水扉の倒伏動作初期時の干渉を吸収する形状をなすことが望ましい。
【００１４】
さらにまた、前記防水扉は、その下端部分に、防水扉の立ち上がり初期時の支点となる支点部を有し、前記収納空間の端部には該支点部が噛合する噛合部が設けられることが望ましい。この支点部は支点ローラであることが望ましい。
【００１５】
また、前記駆動アームの作用部は、前記防水扉の重心から前記防水扉が起立した状態における所定値上端側に位置することが望ましい。
【００１６】
さらに、前記起立収納機構は、前記防水扉が起立時に防水扉上端が噛合し、防水扉の倒伏動作時の支点となる防水扉側に設けられる倒伏支点部と、この倒伏支点部が噛合する枠体側に設けられたフック部とによって構成される倒伏円滑機構を具備することが望ましく、また、前記防水扉が起立時に防水扉上端が噛合し、防水扉の倒伏動作時の支点となる枠体側に設けられる倒伏支点部と、この倒伏支点部が噛合する防水扉側に設けられたフック部とによって構成される倒伏円滑機構を具備するものであっても良い。尚、倒伏支点部として、上記上端に設けられたガイドローラを用いることもできる。この場合、前記フック部をガイドレールの上部に設けることが望ましい。
【発明の効果】
【００１７】
本発明によれば、前記防水扉が、その下端となる部分に設けられ、前記収納空間の床部に沿って防水扉の下端を摺動可能とする下端摺動手段を具備し、前記起立収納機構は、前記出入口の枠体下部の出入口内側に、駆動支点部を有し、防水扉起立時に出入口内側に位置する前記防水扉の内側面の所定の位置に作用部を有する駆動アームと、該駆動アームを、前記駆動支点を中心として回動させ、前記作用部にて前記防水扉を移動させ起立又は収納させる駆動手段を具備することによって、駆動アーム等の起立収納機構を防水扉内側に配することができることから、起立収納機構の防水性を極端に高くする必要がなくなると共に、簡単な構造で防水扉外側からの防水効果を高めることができるものである。
【発明を実施するための最良の形態】
【００１８】
以下、この発明の実施例について図面により説明する。
【実施例１】
【００１９】
本願発明の実施例１にかかる防水扉装置１は、図１（ａ），（ｂ）に示すように、出入口２の枠体３の下部の出入口外側２ａに形成された収納空間４と、この収納空間４に収納された防水扉５と、この防水扉５を前記枠体３に沿って起立させ、且つ起立した防水扉５を前記収納空間４に収納する起立収納機構１０とを少なくとも具備する。
【００２０】
前記防水扉５は、その下端５ａとなる部分に設けられ、前記収納空間４の床部４ａに沿って防水扉５の下端５ａを摺動可能とする下端移動ローラ８と、防水扉５の上端５ｂとなる部分に設けられ、前記枠体５の左右両端に沿って防水扉５の上端５ｂを摺動可能とするガイドローラ６とを具備する。また、このガイドローラ６が当接移動するためのガイドレール７が枠体３に沿って設けられる。さらに、前記防水扉５は、その下端５ａに、前記防水扉５の立ち上がり初期時の支点となる支点ローラ５ｃを有し、この支点ローラ５ｃが前記防水扉５の収納時に噛合する噛合部４ｂが設けられるものである。
【００２１】
前記起立収納機構１０は、前記出入口２の枠体３の下部の出入口内側２ｂに駆動支点部２１を有し、防水扉５の起立時に出入口内側２ｂに位置する前記防水扉５の内側面５ｄの所定の位置に作用部２２を有する駆動アーム２０と、この駆動アーム２０を、前記駆動支点部２１を中心として回動させ、前記作用部２２にて前記防水扉５を移動させ起立又は収納させる駆動機構（特に、図示せず）を具備することにある。
【００２２】
尚、前記駆動機構は、例えば、前記駆動支点部２１を構成するロッドを回動させるための公知の電動モータ及びこの電動モータの回転力を前記ロッド２１に伝達するためのギア機構等によって構成されるものであるが、特にこの構成に限定されるものではなく、前記駆動アーム２０を、駆動支点部２１を支点（中心）として回動させるものであれば良いものである。
【００２３】
さらに、前記枠体３の防水扉５が当接する部分には、弾性部材からなるパッキン３ａが設けられる。また、前記パッキンは、防水扉側に設けても良いものである。
【００２４】
また、前記駆動アーム２０は、防水扉５の収納時において、前記出入口内側２ｂの床面に沿った状態となり、前記駆動支点部２１をその一端に有する内側部２３と、前記収納空間４の床部４ａに沿った状態となり、その一端に前記作用部２２を有する外側部２４と、前記内側部２３の他端部と前記外側部２４の他端部とを連結する連結部２５とによって構成される。この駆動アーム２０の回動範囲θは、９０度より少し大きく設定される。
【００２５】
また、前記駆動アーム２０の作用部２２は、前記アーム２０から横方向に突出する噛合ピン２６と、前記防水扉５に形成され、前記噛合ピン２６が回動可能、移動可能に噛合する長穴２７が形成されるプレート部２８とによって構成される。この長穴２７は、防水扉５の立ち上がり動作初期時に起こる防水扉と床部の干渉及び防水扉の倒伏動作初期時に起こる防水扉と枠体の干渉を吸収する形状をなすものであり、この実施例では、くの字状に曲がった形状に形成される。さらに、前記駆動アーム２０の作用部２２は、前記防水扉５の重心から前記防水扉５の起立した状態における所定値上端側に位置する。
【００２６】
先述した構成の防水扉装置１において、図２乃至図４に示すように、前記駆動アーム２０を、駆動支点部２１を支点として回動させることによって、前記駆動アーム２０と作用部２２によって接続される防水扉５が起立していき、前記パッキン３ａに当接して前記出入口２の下方部分を閉塞するものである。
【００２７】
先ず図２に示すように、前記駆動アーム２０による前記防水扉５の起立動作初期において、前記駆動アーム２０が回動を始めると、前記防水扉５には上方に持ち上げられる方向に力が働く。このとき、防水扉５の下端５ａの設けられた支点ローラ５ｃが収納空間４の一端に設けられた噛合部４ｂに噛合するため、防水扉５はこの支点ローラ５ｃを支点として円滑に持ち上がることができるものである。これにより、防水扉５の下端５ｃは下端移動ローラ８によって前記収納空間４の床部４ａに沿って移動すると共に、防水扉５の上端５ｂは前記枠体３（パッキン３ａ）に沿って移動し、前記防水扉５は図３に示すように起立していくものである。
【００２８】
さらに、防水扉５が起立していくと、図４で示すように、前記防水扉５の内側面５ｄが前記パッキン３ａに当接する状態となるが、本発明では、さらに前記駆動アーム２０が内側方向にすこし移動することができるので、前記防水扉５をパッキン３ａに圧接させることが可能となり、さらに、前記下端移動ローラ８を前記枠体３の下方に形成された空間３ｂに確実に収納することができるものである。
【００２９】
これによって、防水扉５を確実に枠体３の下部に配置することができると共に、前記防水扉５の起立収納機構１０が出入口２の内側２ｂに位置することから、水没による不具合を解消することができるものである。
【００３０】
さらにまた、前記防水扉５の収納作業は、駆動アーム２０が図４側から図２側へ移動することによって図１（ｂ）で示す状態に、防水扉５を収納空間４へ収納することができるものである。この状態において、前記防水扉５は前記収納空間４を完全に閉塞することができ、前記出入口２の下方をフラットな状態にすることができるものである。  尚、以下の実施例において、同一の箇所及び同一の効果を奏する箇所には同一の符号を付してその説明を省略する。
【実施例２】
【００３１】
また、実施例２に係る防水扉装置１は、上述した防水扉装置１において、防水扉５の倒伏動作初期における防水扉５の動作を円滑にするために、図５（ａ），（ｂ）で示すような倒伏円滑機構３０を設けるようにしたものである。この倒伏円滑機構３０は、前記防水扉５が起立時に防水扉５の上端が噛合し、防水扉５の倒伏動作時の支点となる防水扉側に設けられる倒伏支点部と、この倒伏支点部が噛合する枠体側に設けられたフック部とによって構成されるものである。さらに、この実施例２では、前記倒伏支点部をガイドローラ６によって構成し、前記フック部を前記ガイドローラ６が防水扉５の起立動作の完了時期に噛合するように、前記ガイドレール７の上端に形成するものである。
【００３２】
これによって、駆動アーム２０による倒伏動作が開始された場合に、防水扉５全体が駆動アーム２０の動く方向へ移動することを防止できるので、防水扉５は前記ガイドローラ６を支点として防水扉５の下端５ａが床部４ａに沿って移動することができるため、防水扉５は円滑に倒伏動作を行うことができるものである。
【実施例３】
【００３３】
図６に係る実施例３の防水扉装置１は、前記倒伏支点部として、前記枠体３内にピン３２を設けると共に、防水扉５の起立動作完了時期に、前記ピン３２に噛合するフック３１が前記防水扉５の内側面５ｄの端部に形成され、これらによって倒伏円滑機構３０が構成されることにある。また、この実施例３では、前記ピン３２を枠体３内に設けたことから、前記枠体３にフック３１が挿通する開口部３３を設けるものである。
【００３４】
以上の構成により、駆動アーム２０による倒伏動作が開始された場合に、防水扉５全体が駆動アーム２０の動く方向へ移動することを防止できるので、防水扉５は前記ピン３２を支点として防水扉５の下端５ａが床部４ａに沿って移動することができるため、防水扉５は円滑に倒伏動作を行うことができるものである。
【図面の簡単な説明】
【００３５】
【図１】（ａ）は、本願発明の防水扉装置の一部平面概略図であり、（ｂ）はその側面概略図である。
【図２】本願発明の実施例１に係る防水扉装置の起立動作初期又は倒伏動作完了間際の状態を示した概略説明図である。
【図３】本願発明の実施例１に係る防水扉装置の起立動作中間時期又は倒伏動作中間時期の状態を示した概略説明図である。
【図４】本願発明の実施例１に係る防水扉装置の起立動作完了状態を示した概略説明図である。
【図５】実施例２を示した概略図であり、（ａ）は起立動作完了状態を示し、（ｂ）は倒伏動作初期状態を示したものである。
【図６】実施例３を示した概略図であり、（ａ）は起立動作完了状態を示し、（ｂ）は倒伏動作初期状態を示したものである。
【符号の説明】
【００３６】
１  防水扉装置
２  出入口
２ａ  出入口外側
２ｂ  出入口内側
３  枠体
３ａ  パッキン
４  収納空間
４ａ  床部
４ｂ  噛合部
５  防水扉
５ａ  防水扉下側
５ｂ  防水扉上側
５ｃ  支点ローラ
６  ガイドローラ
７  ガイドレール
８  下部移動ローラ
１０  起立倒伏機構
２０  駆動アーム
２１  駆動支点部
２２  作用部
２３  内側部
２４  外側部
２５  連結部
２６  噛合ピン
２７  長穴
２８  プレート部
３０  倒伏円滑機構
３１  フック部
３２  ピン
３３  開口部
【図１】
2008038537.tif 000003
【図２】
2008038537.tif 000004
【図３】
2008038537.tif 000005
【図４】
2008038537.tif 000006
【図５】
2008038537.tif 000007
【図６】
2008038537.tif 000008
【手続補正書】
【提出日】平成18年8月24日(2006.8.24)
【手続補正１】
【補正対象書類名】明細書
【補正対象項目名】０００３
【補正方法】変更
【補正の内容】
【０００３】
特許文献２は、１組の直立平行面と対向方向直立突出部とによって止水板の入口両壁受部を形成し、止水板の両端部を該受部にそって昇降摺動自在に懸垂支持し、前記直立平行面にそれぞれ、その上方から床面に至る案内ガイドを設け、該両案内ガイドの上部が太く下部が細く形成され、中間部にテーパガイド面を介在し、止水板の両端部に上記案内ガイドの上下部に昇降摺動自在に携行する２股部を設け、上記下部において止水板を上記直立突出部の正面及び床面に圧接止水する装置を備えた昇降止水装置を開示する。
【手続補正２】
【補正対象書類名】明細書
【補正対象項目名】０００４
【補正方法】変更
【補正の内容】
【０００４】
特許文献３は、防水扉を、出入口の床面に設けられた収納凹部体にヒンジ装置により起倒可能に支持し、収納凹部体の開口を閉塞する状態から前記出入口を閉塞する状態に起立させるようにした防水扉装置において、防水扉が所定の角度位置となるまでは、回動アームが回動されて押し上げアーム部が押し上げ係合部と係合して支持アームの先端部を上方に移動させつつ回動アームの長アーム部先端部の長孔を介して防水扉を起立方向に回動させ、所定の角度位置以後は、回動アームの長アーム部先端部が支持アームに対して回動しつつ上昇することによりピンが長孔を引っ掛けて回動アーム全体を引き上げることで支持アーム先端部を持ち上げて駆動軸回りに上方に回動させて防水扉を起立させる防水扉装置を開示する。